(57)【要約】【課題】シンプルな構成で汎用性があり、次回使用時が不確定の機器について自動的に定期的に充電することが可能で、緊急使用時に充電不足で使用不可となる事態の発生を防止することができるタイマー機能付きコンセントアダプターを提供することを課題とする。【解決手段】筐体１に、家庭用電源のコンセントに差し込み可能なプラグ２と、オン・オフスイッチ３のオン動作に伴ってプラグ２と導通されるコンセント４と、オン・オフスイッチ３のオン・オフ動作を制御する制御部８とタイマー部９とを含むＰＬＣ５と、制御部８に対して通電間隔と通電時間に関する情報を供給するための操作部６と、操作部６により供給される情報を表示する表示部７とを配備して成る。【選択図】図２
2017034754.tif 000002
【特許請求の範囲】
【請求項１】
筐体に、家庭用電源のコンセントに差し込み可能なプラグと、オン・オフスイッチのオン動作に伴って前記プラグと導通されるコンセントと、前記オン・オフスイッチのオン・オフ動作を制御する制御部とタイマー部とを含むＰＬＣと、前記制御部に対して通電間隔と通電時間に関する情報を供給するための操作部と、前記操作部により供給される情報を表示する表示部とを配備して成るタイマー機能付きコンセントアダプター。
【請求項２】
前記筐体に配備されるコンセントは複数口である、請求項１に記載のタイマー機能付きコンセントアダプター。
【請求項３】
更に、通電開始時刻及び／又は通電実行日の設定が可能である、請求項１又は２に記載のタイマー機能付きコンセントアダプター。
【発明の詳細な説明】
【技術分野】
【０００１】
本発明は、タイマー機能付きコンセントアダプターに関するものであり、より詳細には、充電式バッテリー搭載機器を接続し、当該機器に対する充電を設定期間ごとに実行させるためのタイマー機能付きコンセントアダプターに関するものである。
【背景技術】
【０００２】
例えば、防災用品の中には、防災照明のように使用に際して電源を必要とするものが少なくない。その多くは充電式バッテリーを電源としているが、その場合、当該防災用品を使用していなくても自己放電によりバッテリー量が次第に減ってくるので、有事に備えて定期的に充電しておく必要がある。しかし、その防災用品の管理者が、たとえその防災用品の納入業者から要請されていたとしても、滅多に使用する機会のないものについて定期的に充電作業を行うことは、現実問題として難しい面がある。そのため、災害時等において使用する必要が生じた場合に、充電不足で使用できないといった事態が起こり得る。
【０００３】
従来、一旦充電した後使用時までに時間が空くような場合、その間に自己放電して使用時に充電不足となってしまう不都合を回避するために、次回使用時に合わせて充電開始時刻を設定し得る充電装置が提唱されている（実開平５−２５９５０号公報）。しかし、この充電装置は、次回使用時がある程度決まっている場合にのみ有効なもので、防災用品のように、次回使用時が不確定のものについては有効ではない。また、この充電装置は、プログラムに従った処理を行う処理装置を備えた機器にしか使用することができないという制限を伴う。
【先行技術文献】
【特許文献】
【０００４】
【特許文献１】実開平５−２５９５０号公報
【発明の概要】
【発明が解決しようとする課題】
【０００５】
上述したように、従来提案されている充電装置の場合は、次回使用時が不確定のものについては有効ではないとか、プログラムに従った処理を行う処理装置を備えた機器にしか使用することができないとかいった問題があった。
【０００６】
そこで本発明は、極めてシンプルな構成で汎用性があり、防災用品のように、次回使用時が不確定の機器について自動的に定期的に充電することを可能にし、緊急使用時に充電不足で使用不可となる事態の発生を確実に防止することができるタイマー機能付きコンセントアダプターを提供することを課題とする。
【課題を解決するための手段】
【０００７】
上記課題を解決するための請求項１に係る発明は、筐体に、家庭用電源のコンセントに差し込み可能なプラグと、オン・オフスイッチのオン動作に伴って前記プラグと導通されるコンセントと、前記オン・オフスイッチのオン・オフ動作を制御する制御部とタイマー部とを含むＰＬＣと、前記制御部に対して通電間隔と通電時間に関する情報を供給するための操作部と、前記操作部により供給される情報を表示する表示部とを配備して成るタイマー機能付きコンセントアダプターである。
【０００８】
一実施形態においては、前記筐体のコンセントは複数口配備される。また、通電開始時刻及び／又は通電実行日の設定が可能にされる。
【発明の効果】
【０００９】
本発明に係るタイマー機能付きコンセントアダプターは上記構成であるため、極めてシンプルな構成で、防災用品のように、次回使用時が不確定の機器について自動的に定期的に充電することが可能となるため、緊急使用時に充電不足で使用不可となる事態の発生を確実に防止し得る効果がある。
【００１０】
また、賃貸アパート等において、定期的に換気扇を回すといった用途等にも利用可能で汎用性に富むという効果があり、請求項２に記載の発明の場合は、同時に複数の機器に対応し得る効果がある。
【図面の簡単な説明】
【００１１】
【図１】本発明に係るタイマー機能付きコンセントアダプターの外観例を示す斜視図である。
【図２】本発明に係るタイマー機能付きコンセントアダプターの構成を示す概略図である。
【発明を実施するための形態】
【００１２】
本発明を実施するための形態について、添付図面に依拠して説明する。図１は、本発明に係るタイマー機能付きコンセントアダプターの外観例を示す斜視図、図２はその構成を示す概略図であり、そこに示されるように本アダプターは、筐体１に、家庭用電源のコンセントに差し込み可能なプラグ２と、オン・オフスイッチ３を介してプラグ２と電気的に接続されるコンセント４と、オン・オフスイッチ３のオン・オフ動作を制御するＰＬＣ５と、通電間隔及び通電時間に関する通電情報をＰＬＣ５に供給するための操作部６と、通電情報その他の情報を表示する表示部７とを配備して構成される。
【００１３】
プラグ２は、家庭用電源のコンセントに差し込み可能であり、また、本アダプターのコンセント４には、一般の電気器具のプラグが差し込み可能である。そして、オン・オフスイッチ３がオンの状態のときに、プラグ２とコンセント４間が通電状態となる。筐体１に設けられるコンセント４は通例１つであるが、複数設けることで、同時に複数の機器に対応させることが可能となる。また、コンセント４が１つの場合であっても、そこに複数口のコンセントタップを接続することにより、同様の使用法が可能となる。
【００１４】
ＰＬＣ５は制御部８とタイマー部９とを含み、制御部８は、操作部６を介して入力される通電間隔と通電時間に関する通電情報を受け入れ、これをタイマー部９に供給する。そして、制御部８は、指定した通電間隔の到来信号をタイマー部９から受けることにより操作部６をオンにし、プラグ２とコンセント４を指定された通電時間導通させるよう作用する。
【００１５】
本アダプターは、プラグ２を家庭用電源のコンセントに差し込み、定期的に充電すべき機器のプラグをコンセント４に差し込んで使用する。使用に際しては、操作部６を操作し、通電間隔と通電時間をセットする。例えば、通電間隔を３０日、通電時間を５時間にセットしてそのまま、即ち、プラグ２を家庭用電源のコンセントに差し込んだまま放置すると、セット操作後３０日経過した時点で自動的に５時間通電されて充電が行われ、以後３０日ごとに５時間充電が自動的に実行される。従って、定期的に充電すべき機器の管理者は、当該機器を本アダプターに接続する時点で通電間隔と通電時間をセットするだけで、以後充電操作について無関心でいられることになる。
【００１６】
本アダプターは上記使用方法の他に、例えば、賃貸アパート等において、定期的に換気扇を回すといった用法も可能である。
【００１７】
通電間隔と通電時間の他に、通電開始時刻の設定が可能となるようにすることができる。通電間隔と通電時間のセット時に表示部７には、例えば「通電間隔  ○○日」、「通電時間  ○○時間」、「通電開始時刻  ○○時○○分」のような表示がなされ、利用者は、操作部６を操作して所望の通電間隔と通電時間をセットし、また、必要に応じ、通電実行日における通電開始時刻をセットする。また、「通電実行日  ○○月○○日」のように、通電を実行する日を設定可能にすることもできる。
【００１８】
本アダプターの用途としては、上記防災用品の他に、救急処置のための医療機器であるＡＥＤ、ビジネスミーティング、ツアーガイド、遠足等に際して用いられるベリンガー（フルレンジスピーカー、ＣＤライン接続用入力装置）、人口呼吸器、人口心肺補助循環装置等の医療機器、太陽光発電非常用電源、非常用通信機器等が考えられ、用途の制限はない。
【００１９】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００２０】
１    筐体
２    プラグ
３    オン・オフスイッチ
４    コンセント
５    ＰＬＣ
６    操作部
７    表示部
８    制御部
９    タイマー部
【図１】
2017034754.tif 000003
【図２】
2017034754.tif 000004